(57)【特許請求の範囲】
【請求項１】
ＦＰＣＢの電気的性能検査をするための検査装置において、
作業台６上に両側ガイド１１により縦方向に移動できるように設置され、シート型ＦＰＣＢ２が安着する検査台１０と、
前記検査台１０の一側に設置されて、ロール型ＦＰＣＢ１が装着され、駆動モーター２１により回転駆動される巻出ローラ２０と、
前記検査台１０の他側に駆動モーター２２により回転駆動されるように設置されて、巻出ローラ２０で横方向に引出移動するロール型ＦＰＣＢ１を巻き取る巻取ローラ３０と、
前記巻出ローラ２０及び巻取ローラ３０との間に設置され、前記検査台１０の上部側に設置され、作業台６上に設置された横調節台４３及び縦調節台４４により横及び縦方向に移動しながら巻出ローラ２０及び巻取ローラ３０との間を通過するロール型ＦＰＣＢ１または検査台１０に安着したシート型ＦＰＣＢ２の電気的性能検査を選択的に実施する検査用カメラ４０と、
前記検査台１０、巻出ローラ２０、巻取ローラ３０及び検査用カメラ４０の作動を制御するコントローラー５０と、を含んで構成されることを特徴とする、ＦＰＣＢ検査装置。
【請求項２】
前記検査用カメラ４０の側面にシリンダー６２により垂直作動されるように固定設置されて、検査用カメラ４０を介して検査されるロール型ＦＰＣＢ１またはシート型ＦＰＣＢ２の不良部分にマーキングを行うマーキング具６０を付着設置することを特徴とする、請求項１に記載のＦＰＣＢ検査装置。
【請求項３】
前記巻出ローラ２０の下部側にロール型ＦＰＣＢ１の自重によって垂直方向移動するように設置される垂直移動ローラ７３と、垂直移動ローラ７３の一側端に固定設置されて軸棒７１により垂直ガイド移動する水平バー７９と、水平バー７９の最上端点で接触するように設置される上部位置センサー７７と、水平バー７９の最下端点で接触するように設置される下部位置センサー７８で構成されて、ロール型ＦＰＣＢ１の張力を維持させる張力調節具７０を設置することを特徴とする、請求項１に記載のＦＰＣＢ検査装置。
【請求項４】
前記巻出ローラ２０と垂直移動ローラ７３との間の両側にロール型ＦＰＣＢ１が移動をガイドする一対のガイドローラ７４をさらに設置することを特徴とする、請求項３に記載のＦＰＣＢ検査装置。
【請求項５】
前記巻出ローラ２０と巻取ローラ３０との間で横方向に移動するロール型ＦＰＣＢ１の両側端外側に各々備えられて、ロール型ＦＰＣＢ１の左右移動を感知する水平位置調節センサー８０が設置され、水平位置調節センサー８０により感知された信号をコントローラー５０を介して伝達されてロール型ＦＰＣＢ１の水平位置を維持するように巻出ローラ２０と巻取ローラ３０を水平方向に移動調節する水平調節シリンダー８２が設置されることを特徴とする、請求項１に記載のＦＰＣＢ検査装置。
【発明の詳細な説明】
【技術分野】
【０００１】
本発明は、ＦＰＣＢ検査装置に関し、特にロール型とシート型のＦＰＣＢ回路パターンの異常有無を選択的に検査できるＦＰＣＢ検査装置に関する。
【背景技術】
【０００２】
一般に、ＰＣＢ（ｐｒｉｎｔｅｄ  ｃｉｒｃｕｉｔ  ｂｏａｒｄ）とは、電気絶縁性基板に銅等の伝導性材料で回路ラインパターンを形成させたもので、電子部品を実装する直前の基板をいう。
【０００３】
ＰＣＢは、基板材料の種類によって、フェノールとエポキシで製作されるリジッド（Ｒｉｇｉｄ）ＰＣＢと、ポリイミド（Ｐｏｌｙｉｍｉｄ）のように曲げられ易い材質で製作されるフレキシブル（Ｆｌｅｘｉｂｌｅ）ＰＣＢ(ＦＰＣＢ)に分かれる。
【０００４】
最近、携帯電話、ＰＤＡ、デジタルカメラ等個人携帯用電子装置が大衆化すると共に、回路特性が安定化され小型及び軽量化されたＰＣＢが個人携帯用電子装置のメイン基板として用いられ、特にＦＰＣＢはフォルダ状の移動通信端末機等において屈曲部位の回路として主に用いられる。
【０００５】
前記ＦＰＣＢに部品が実装されて電子装置に用いられるためには、外見、マイクロセクション及び寸法検査、電気的性能検査、機械的性能検査等を要する。
【０００６】
そのうち、電気的性能検査は、ＦＰＣＢに求められる電気的特性を検査するもので、ＦＰＣＢに実装された回路パターンの異常有無判断、電気回路の機能判断等を行う。
【０００７】
従来のＦＰＣＢの検査装置は、シート型だけを検査する方式とロール型だけを検査する方式で製作されて用いられた。そのために、両方式を全部取るためには装備をはじめとする施設費が高く、多様な装備を用いなければならないため、作業能率が低下する問題があった。
【発明の概要】
【発明が解決しようとする課題】
【０００８】
本発明の目的は、前記のような従来技術の問題を解決するために発明され、ロール型とシート型のＦＰＣＢ回路パターンの異常有無を選択的に検査できるＦＰＣＢ検査装置を提供することである。
【課題を解決するための手段】
【０００９】
前記目的を実現するために、本発明はＦＰＣＢの電気的性能検査を行う検査装置において、作業台上に両側ガイドによって縦方向に移動できるように設置され、シート型ＦＰＣＢが安着される検査台と、前記検査台の一側に設置されてロール型ＦＰＣＢが装着され、駆動モーターによって回転駆動される巻出ローラと、前記検査台の他側に駆動モーターによって回転駆動されるように設置されて巻出ローラで横方向に引出移動されるロール型ＦＰＣＢを巻き取る巻取ローラと、前記巻出ローラ及び巻取ローラとの間に設置され、前記検査台の上部側に設置されて、作業台上に設置された横調節台及び縦調節台によって横及び縦方向に移動しながら巻出ローラ及び巻取ローラとの間を通過するロール型ＦＰＣＢまたは検査台に安着したシート型ＦＰＣＢの電気的性能検査を選択的に実施する検査用カメラと、前記検査台、巻出ローラ、巻取ローラ及び検査用カメラの作動を制御するコントローラー、を含んで構成されることを特徴とするＦＰＣＢ検査装置を提供する。
【発明の効果】
【００１０】
本発明に係るロール型ＦＰＣＢとシート型ＦＰＣＢを選択的に検査できるＦＰＣＢ検査装置は、ロール型とシート型のＦＰＣＢ回路パターンの異常有無を選択的に検査できるようにして、作業能率が上げられ、装置の購買及び使用による費用を節減することができる。
【００１１】
また、ロール型のＦＰＣＢを検査する過程で張力調節具を設置することによって、張力調節具の自重によってＦＰＣＢの張力を維持でき、ＦＰＣＢの検査過程において不良部分にマーキングできるマーキング具を設置することによって安定した不良検査を進行できるメリットがある。
【図面の簡単な説明】
【００１２】
【図１】本発明に係るＦＰＣＢ検査装置のシート型検査状態斜視図である。
【図２】本発明に係るＦＰＣＢ検査装置のシート型検査状態斜視図である。
【図３】本発明に係るＦＰＣＢ検査装置のロール型検査状態斜視図である。
【図４】図３の正面図である。
【図５】図３の平面図である。
【図６】本発明に係るマーキング具の使用状態図である。
【発明を実施するための形態】
【００１３】
本発明を実施するための具体的な内容を添付図を参照してより詳細に説明する。
【００１４】
図１乃至図６を参照すると、本発明に係るＦＰＣＢ検査装置は、ＦＰＣＢの検査台１０と、ロール型ＦＰＣＢ１の巻出ローラ２０及び巻取ローラ３０と、ＦＰＣＢを検査する検査用カメラ４０と、全体作動を制御するコントローラー５０で構成される。
【００１５】
本発明に係る前記検査台１０は、地面に設置された作業台６上に設置され、図１のように検査台１０の下部に設置される両側ガイド１１により縦方向に移動できるように設置される。
【００１６】
前記検査台１０には、シート型ＦＰＣＢ２が安着して検査のための位置に移動して、下部中心側にねじ軸状の移動台１５が連結設置され、移動台１５の両側にケーブルベアー１７が連結設置されて検査台１０を移動させることになり、検査台１０は前記両側ガイド１１により縦方向にガイドされながら移動する。
【００１７】
前記検査台１０の一側には、ロール型ＦＰＣＢ１が装着される巻出ローラ２０が設置される。
【００１８】
巻出ローラ２０は、作業台６上に設置された駆動モーター２１に連結されて回転駆動され、巻出ローラ２０の表面には、ロール型ＦＰＣＢ１が巻き取られたロール管を固定できるように複数の突起２７が形成される。
【００１９】
前記巻出ローラ２０の反対側の検査台１０の他側には、ロール型ＦＰＣＢ１が横方向に引出移動して巻き取られる巻取ローラ３０が設置される。
【００２０】
前記巻取ローラ３０の形態は、巻出ローラ２０と同じで、駆動モーター２２により回転駆動されるように設置される。この時、巻取ローラ３０を回転駆動させる駆動モーター２２と、巻出ローラ２０を回転駆動させる駆動モーター２１は、コントローラー５０によりロール型ＦＰＣＢ１の張力を維持させながら相互間に移動するように制御される。
【００２１】
この時、ロール型ＦＰＣＢ１の張力を維持させるために、図１及び図４の示したように巻出ローラ２０の下部側に張力調節具７０を設置する。
【００２２】
前記張力調節具７０は、巻出ローラ２０の下部側にロール型ＦＰＣＢ１の自重によって垂直方向に移動するように設置される垂直移動ローラ７３と、垂直移動ローラ７３の一側端に固定設置されて軸棒７１により垂直ガイド移動する水平バー７９と、水平バー７９の最上端点で接触するように設置される上部位置センサー７７と、水平バー７９の最下端点で接触するように設置される下部位置センサー７８で構成されて、ロール型ＦＰＣＢ１の張力を維持できるように構成される。
【００２３】
ロール型ＦＰＣＢ１の移動時張力が弱くなると、垂直移動ローラ７３の自重によって垂直移動ローラ７３が下降され、垂直移動ローラ７３が最下端点に至ると、その一側端に設置された水平バー７９が下部位置センサー７８に認識され、その信号はコントローラー５０に伝達されて巻出ローラ３０の回転速度を増加させることによってロール型ＦＰＣＢ１を引っ張ることになる。
【００２４】
すると、垂直移動ローラ７３は、上部側に垂直移動し、巻出ローラ３０の回転速度が速くなって垂直移動ローラ７３が最上端点に至ると、その一側端に設置された水平バー７９が上部位置センサー７７に認識されて、その信号はまたコントローラー５０に伝達されて巻出ローラ３０の回転速度を減少させることによってロール型ＦＰＣＢ１の張力を調節及び維持できるように構成される。
【００２５】
前記巻出ローラ２０と垂直移動ローラ７３との間の両側には、ロール型ＦＰＣＢ１の移動をガイドする一対のガイドローラ７４をさらに設置して、ロール型ＦＰＣＢ１が安定的にガイド移動されるようにする。
【００２６】
一方、巻出ローラ２０と巻取ローラ３０との間で横方向に移動するロール型ＦＰＣＢ１の水平位置維持のために、図５に示したようにロール型ＦＰＣＢ１の両側端外側に各々備えられてロール型ＦＰＣＢ１の左右移動を感知する水平位置調節センサー８０を設置し、水平位置調節センサー８０により感知された信号をコントローラー５０を介して伝達されてロール型ＦＰＣＢ１の水平位置を維持するように巻出ローラ２０と巻取ローラ３０を水平方向に移動調節する水平調節シリンダー８２を設置構成する。
【００２７】
前記のように構成されると、横方向に移動するロール型ＦＰＣＢ１の水平位置が常に一定に維持できる。
【００２８】
前記のように構成された巻出ローラ２０と巻取ローラ３０との間には、ＦＰＣＢを検査する検査用カメラ４０が設置される。
【００２９】
前記検査用カメラ４０は、検査台１０の上部側に設置され、作業台６上に設置されたねじ軸状の横調節台４３及び縦調節台４４により横及び縦方向に移動しながら巻出ローラ２０と巻取ローラ３０との間を通過するロール型ＦＰＣＢ１または検査台１０に安着したシート型ＦＰＣＢ２の電気的性能検査を選択的に実施することになる。
【００３０】
検査用カメラ４０は、ＦＰＣＢの電気的性能検査をする通常のもので、電気的性能検査以外にもその検査目的により多様な検査手段を有するものとして設置できる。
【００３１】
前記検査用カメラ５０の側面には、図６に示したように、シリンダー６２により垂直作動されるように固定設置されて、検査用カメラ４０を介して検査されるロール型ＦＰＣＢ１またはシート型ＦＰＣＢ２の不良部分にマーキングを行うマーキング具６０を付着設置する。
【００３２】
前記マーキング具６０は、ＦＰＣＢの不良部分に作業者の目で確認できるようにインク等を噴射しながらＦＰＣＢ上にマーキングを行う。この時、マーキング具６０は、コントローラー５０に連結されて、シリンダー６２により垂直作動しながら検査用カメラ５０で認識された不良部分にマーキングできるように具現される。
【００３３】
前記構成の検査台１０、巻出ローラ２０、巻取ローラ３０、検査用カメラ４０、マーキング具６０、張力調節具７０、水平調節シリンダー８２を含んだいずれかの駆動要素は、コントローラー５０により作動が制御される。
【００３４】
前記のように構成される本発明に係るロール型ＦＰＣＢとシート型ＦＰＣＢを選択的に検査できるＦＰＣＢ検査装置の作動説明は、下記の通りである。
【００３５】
前記ＦＰＣＢ検査装置は、ロール型ＦＰＣＢ１とシート型ＦＰＣＢ２の検査を選択的にできるように実現したもので、まずシート型ＦＰＣＢ２の検査時には図１のように検査台１０にシート型ＦＰＣＢ２を安着させ、検査用カメラ４０側に進入させて電気的性能検査を終了した後、外側に排出される。
【００３６】
一方、ロール型ＦＰＣＢ１の検査時には、図２のように検査台１０が検査用カメラ４０側に進入された状態で巻出ローラ２０から巻取ローラ３０にまでロール型ＦＰＣＢ１が横方向に移動するように設置した後、検査用カメラ４０の検査半径内でロール型ＦＰＣＢ１を部分的に検査して、移動させる方式で作動する。
【００３７】
前記ロール型ＦＰＣＢ１の検査時には、張力調節具７０と水平調節シリンダー８２が作動しながらロール型ＦＰＣＢ１の張力及び水平位置が維持されながら移動する。
【符号の説明】
【００３８】
１        ロール型ＦＰＣＢ 
２        シート型ＦＰＣＢ
６        作業台
１０      検査台
１１      ガイド
１５      移動台
１７      ケーブルベアー
２０      巻出ローラ
２１      モーター
３０      巻取ローラ
４０      検査用カメラ
４３      横調節台
４４      縦調節台
５０      コントローラー
６０      マーキング具
６２      シリンダー
７０      張力調節具
７１      軸棒
７３      垂直移動ローラ
７４      ガイドローラ
７７      上部位置センサー
７８      下部位置センサー
７９      水平バー
８０      水平位置調節センサー
８２      水平調節シリンダー
【要約】
【課題】ロール型とシート型のＦＰＣＢ回路パターンの異常有無を選択的に検査できるＦＰＣＢ検査装置を提供する。
【解決手段】作業台上に両側ガイドによって縦方向に移動できるように設置され、シート型ＦＰＣＢが安着する検査台と、検査台の一側に設置されてロール型ＦＰＣＢが装着される巻出ローラと、検査台の他側に設置されて巻出ローラで横方向に引出移動するロール型ＦＰＣＢを巻き取る巻取ローラと、巻出ローラ及び巻取ローラとの間に設置され、検査台の上部側に設置され、作業台上に設置された横調節台及び縦調節台によって横及び縦方向に移動しながら巻出ローラ及び巻取ローラとの間を通過するロール型ＦＰＣＢまたは検査台に安着したシート型ＦＰＣＢの電気的性能検査を選択的に実施する検査用カメラと、検査台、巻出ローラ、巻取ローラ及び検査用カメラの作動を制御するコントローラー、を含むＦＰＣ検査装置。
【選択図】図１【図１】
0005175996.tif 000002
【図２】
0005175996.tif 000003
【図３】
0005175996.tif 000004
【図４】
0005175996.tif 000005
【図５】
0005175996.tif 000006
【図６】
0005175996.tif 000007